(57)【要約】【課題】重なり構造のケーブル部における内径側ケーブル部に屈曲による圧縮歪みを生じ難い可撓性回路基板を提供すること。【解決手段】部品実装部１１，１２間をケーブル部２１，２２により接続する可撓性回路基板において、前記部品実装部におけるケーブル部の根元部分に、前記ケーブル部の側縁に沿う方向の切り込み２１Ａが設けられたことを特徴とする可撓性回路基板。【選択図】　図１
2004079730.tif 000002
【特許請求の範囲】
【請求項１】
部品実装部間をケーブル部により接続する可撓性回路基板において、
前記部品実装部におけるケーブル部の根元部分に、前記ケーブル部の側縁に沿う方向の切り込みが設けられたことを特徴とする可撓性回路基板。
【請求項２】
請求項１記載の可撓性回路基板において、
前記ケーブル部は、複数の互いに重なり合った部分からなる構造である可撓性回路基板。
【請求項３】
請求項１記載の可撓性回路基板において、
前記ケーブル部における前記切り込みの近傍に、前記ケーブルの長さを調節するための折り曲げ部が設けられた可撓性回路基板。
【請求項４】
請求項２および３記載の可撓性回路基板において、
前記折り曲げ部近傍の前記ケーブル部が互いに重なり合った部分を接着剤等により固着した可撓性回路基板。
【発明の詳細な説明】
【０００１】
【産業上の利用分野】
本発明は、可撓性回路基板に係り、とくに部品実装部とケーブル部とを有する可撓性回路基板における部品実装部とケーブル部との連結部の構造に関する。
【０００２】
【従来の技術】
小型電子機器における回路基板としては、可撓性回路基板が汎用されている。そして、小型電子機器には、たとえば携帯電話、携帯情報端末のように、筐体が折り畳み構造であって一方の筐体部分と他方の筐体部分とを結ぶヒンジに、可撓性回路基板の一部を組み込んで、回路接続を行うものがある。このような可撓性回路基板は、筐体内に収容される部品実装部と筐体間を結ぶケーブル部とによって基板が構成され、ケーブル部がヒンジ内に組み込まれる。
【０００３】
ここにおいて、電子機器は高機能化の一途を辿っており、回路基板が益々高密度化しており、ケーブル部に設けられる回路配線パターンも多数の線路を要するようになっている。一方で、電子機器は小型化が要請されており、回路基板はケーブル部を含めてコンパクトに構成する必要がある。このような状況の下で、ケーブル部を複数の部分により構成し、これら複数の部分が互いに重なり合った構造として、小型でありながら線路数を増大することが行われている。
【０００４】
図１０は、この重なり合った構造のケーブル部２１，２２を有する可撓性回路基板を展開して示したものであり、部品実装部１１，１２を結ぶ一点鎖線が折り畳み線である。
【０００５】
【発明が解決しようとする課題】
この折り畳み線に沿ってケーブル部を折り畳んで重なり状態とした上で、電子機器のヒンジ部にα字状に巻き付けると、ケーブル部の内径側、外径側の長さが同一であるため、内径側に撓みが生じる。この結果、電子機器のヒンジ部の屈曲に影響を及ぼし、他方、ケーブル部には局部的な歪みを生じさせてしまう。
【０００６】
本発明は上述の点を考慮してなされたもので、重なり構造のケーブル部における内径側ケーブル部に屈曲による圧縮歪みを生じ難い可撓性回路基板を提供することを目的とする。
【０００７】
【課題を解決するための手段】
上記目的達成のため、本発明では、
部品実装部間をケーブル部により接続する可撓性回路基板において、前記部品実装部におけるケーブル部の根元部分に、前記ケーブル部の側縁に沿う方向の切り込みが設けられたことを特徴とする可撓性回路基板、
を提供するものである。
【０００８】
【発明の実施の形態】
図１は、本発明の一実施例におけるケーブル部２２の折り畳み前の展開状態を、また図２は、折り畳み後のケーブル部２１，２２の重なり状態の形状をそれぞれ示している。図１における部品実装部１１，１２を結ぶ一点鎖線はケーブル部２２の畳み込み線であり、図２における破線は畳み込み後のケーブル部２２の輪郭線を示している。
【０００９】
ケーブル部２１の部品実装部１１に寄った根元部分には、切り込み２１Ａが設けられている。この切り込み２１Ａが設けられたことで、ケーブル部２１の屈曲自由度が高まり、圧縮力が作用したときの逃げ余地が生じる。そして、切り込み２１Ａの最奥部と入り口部とでそれぞれ反対向きに折り曲げられて、横から見るとＺ字型をなすように折り曲げ部２１Ｂが形成されている。この折り曲げ部２１Ｂが、切り込み２１Ａと協働して屈曲自由度を一層高めることができる。
【００１０】
この結果、ケーブル部２１は、もう一つのケーブル部２２に比べて折り曲げによる屈曲性を備えており、長手方向の縮み代があるようになる。
【００１１】
そこで、ケーブル部２１を内径側としケーブル部２２を外径側として電子機器のヒンジ部に組み込むと、電子機器の折り畳み時にヒンジ内での巻き込みを強めるにしたがって、外径側のケーブル部２２に張力がかかる一方、内径側のケーブル部２１が圧縮されるようになる。
【００１２】
そして、内径側のケーブル部２１の圧縮度合いがさらに強まると、折り曲げ部２１Ｂが屈曲されてケーブル部２１に長さ方向の圧縮作用を吸収し、縮み効果を与える。この折り曲げ部２１Ｂの縮み効果がある分だけ、ケーブル部２１，２２を電子機器のヒンジ内で円滑に巻き込むことができる。このため、電子機器の使用に際しての、ヒンジを中心にした開閉操作を円滑に行うことができて、電子機器が使い易くなる。
【００１３】
図３は、本発明の他の実施例を示したもので、切り込み２１Ａをケーブル部２１の延長線およびこの延長線に接するように円形の穴との組合せとして構成している。
【００１４】
図４は、本発明のさらに他の実施例を示したもので、切り込み２１Ａをケーブル部２１の延長線およびこの延長線が円の中心に向うように円形の穴との組合せとして構成している。
【００１５】
図５ないし図９は、本発明のもう一つの実施例を製造するための工程を順次示したものである。図５は、図１に示した実施例の折り曲げ部２１Ｂを形成する前の状態であり、図６に示すように治具３１，３２を用いてプレスすることにより折り曲げ部２１Ｂ（図７）を形成する。そして、図７は、ケーブル部２２をケーブル部２１に重なるように畳み込む工程を経た状態を示している。
【００１６】
この図７の状態を側面から見ると、図８に示すようにケーブル部２１ともう一つのケーブル部２２との間には隙間がある。この隙間がなくなるように、ケーブル部２１をケーブル部２２に押付けた上で接着剤２３により固着する。
【００１７】
（変形例）
上記実施例では、２つの部品実装部を結ぶケーブル部の一方の端部に、切り込み２１Ａおよび屈曲部２１Ｂを設けたが、これらの少なくとも一方を必要に応じて両端に設けてもよい。
【００１８】
【発明の効果】
本発明は上述のように、部品実装部を結ぶケーブル部の根元に切り込みを設けたため、ケーブル部の屈曲に自由度が増し重なり構造のケーブル部を重ねたときでも外径側と内径側とがともに調和の取れた状態で屈曲できる。
【００１９】
さらに、内径側のケーブル部に折り曲げ部を設けたため、内径側のケーブル部が折り畳まれる分だけ屈曲時の自由度が増し、電子機器の操作性が改善される。
【図面の簡単な説明】
【図１】本発明の一実施例におけるケーブル部を折り畳む前の状態を示す説明図。
【図２】同実施例におけるケーブル部を折り畳む前の状態を示す説明図。
【図３】本発明の他の実施例における要部を示す説明図。
【図４】本発明のさらに他の実施例における要部を示す説明図。
【図５】本発明のもう一つの実施例における第１の工程を示す説明図。
【図６】図５に続く工程を示す説明図。
【図７】図６に続く工程を示す説明図。
【図８】図７に続く工程を示す説明図。
【図９】図８に続く工程を示す説明図。
【図１０】従来の重なり部を持った可撓性回路基板を示す説明図。
【符号の説明】
１１　部品実装部
１２　部品実装部
２１　ケーブル部
２１Ａ　切り込み
２１Ｂ　折り曲げ部
２２　ケーブル部
２３　接着剤
３１，３２　治具
【図１】
2004079730.tif 000003
【図２】
2004079730.tif 000004
【図３】
2004079730.tif 000005
【図４】
2004079730.tif 000006
【図５】
2004079730.tif 000007
【図６】
2004079730.tif 000008
【図７】
2004079730.tif 000009
【図８】
2004079730.tif 000010
【図９】
2004079730.tif 000011
【図１０】
2004079730.tif 000012